(57)【要約】【課題】アンテナの設置構造を簡単にすることができる印刷装置を提供する。【解決手段】芯材の一端側に識別情報を記憶する記憶媒体が設けられたロール紙部材に印刷を行う印刷装置であって、前記ロール紙部材に設けられた記憶媒体と通信を行う通信部が、前記ロール紙部材の長手方向に対して垂直方向に、印刷装置のサイドフレームに取り付けられる。【選択図】図１
2009262365.tif 000002
【特許請求の範囲】
【請求項１】
芯材の一端側に識別情報を記憶する記憶媒体が設けられたロール紙部材に印刷を行う印刷装置であって、
前記ロール紙部材に設けられた記憶媒体と無線通信を行う通信部はループアンテナを備え、
前記ループアンテナの形成面は、前記ロール紙部材の長手方向に対して垂直面に、印刷装置のサイドフレームに設けられている
ことを特徴とする印刷装置。
【請求項２】
前記通信部は、前記記憶媒体とギガヘルツ帯の周波数帯域で無線通信することを特徴とする請求項１記載の印刷装置。
【請求項３】
前記通信部は、前記記憶媒体に記憶された、前記ロール紙部材の残量を示す情報を読み出すことを特徴とする請求項１または２記載の印刷装置。
【請求項４】
前記通信部は、前記記憶媒体に記憶された前記ロール紙部材の残量を示す情報を印刷開始前に読み出し、
前記印刷装置は、
印刷要求された印刷ジョブにおいて必要となる用紙量と、前記通信部が読み出した前記ロール紙部材の残量を示す情報と、に基づいて、印刷用紙が足りるか否かを判定する
ことを特徴とする請求項１から３のうちいずれかに記載の印刷装置。
【請求項５】
前記通信部は、前記記憶媒体に記憶された、前記ロール紙部材の種別を示す情報を読み出し、
前記印刷装置は、
印刷要求された印刷ジョブにおいて指定された用紙種別と、前記通信部が読み出した前記ロール紙部材の種別を示す情報と、が一致するか否かを判定し、一致する場合には印刷ジョブに従って印刷を行う
ことを特徴とする請求項１から４のうちいずれかに記載の印刷装置。
【請求項６】
通信部を備えた印刷装置に用いられ、
識別情報を記憶する記憶媒体と、該記憶媒体が前記通信部と無線通信を行うためのループアンテナと、が一端に設けられたロール紙部材において、
前記ループアンテナの形成面は、前記ロール紙部材の長手方向に対して垂直面に設けられていることを特徴とするロール紙部材。
【発明の詳細な説明】
【技術分野】
【０００１】
本発明は、ロール紙に印刷をする印刷装置に関し、ロール紙に取り付けられた記憶媒体を読み取って、ロール紙の残量を算出する印刷装置に関する。
【背景技術】
【０００２】
従来から、印刷装置には、心材の外周に印刷用紙が巻き付けられたロール紙に印刷をすることができるタイプがある。
このようなタイプの印刷装置において、例えば、何枚も同じ印刷データを印刷する場合、印刷中にロール紙の残量がなくなってしまうと、用紙の途中まで印刷して印刷が停止してしまうため、新しいロール紙に入れ替えて再度印刷しなければならず、途中まで印刷した用紙やインク等が無駄になってしまう可能性がある。そのため、印刷対象となる印刷データを全て印刷できるかを把握するべく、ロール紙の残量を把握することが望ましい。
ここで、ロール紙の残量を把握するために、ロール紙の芯材にICタグを取り付けるとともに、印刷装置に当該ICタグと無線通信可能な位置にリーダ装置を設けておき、ロール紙が回転して印刷が行われる毎にＩＣタグの情報を読み取り、この読み取り結果に応じて残量を計算するものがある（例えば、特許文献１参照）。
【特許文献１】特開２００７−２５１７６９号公報
【発明の開示】
【発明が解決しようとする課題】
【０００３】
しかしながら、特許文献１のものでは、ＩＣタグがロール紙部材の芯材の内周面に取り付けられており、このＩＣタグと無線通信を行うリーダライタのアンテナを、プリンタのロール紙部材の支持部材の中心軸に沿った位置に配置しなければならず、その設置構造が複雑になってしまい、組み立てが容易でないという問題がある。
また、特にＩＣタグ及びリーダライタの有するアンテナが特にループ状のアンテナ（以下、ループアンテナ）である場合（例えば、ＲＦＩＤ（Ｒａｄｉｏ  Ｆｒｅｑｕｅｎｃｙ  Ｉｄｅｎｔｉｆｉｃａｔｉｏｎ）技術を用いた非接触ＩＣカードなどの規格）には、芯材の回転に伴い、該ＩＣタグのループアンテナと、該リーダライタのループアンテナとの位置関係が大きく変動し回転位置によっては、リーダライタのアンテナから発せられた電波によってもＩＣタグのループアンテナに十分な起電力を発生させることができず、無線通信はできない場合があった。
【０００４】
本発明は、このような事情に鑑みてなされたもので、その目的は、アンテナの設置構造を簡単にし、かつ互いに良好な通信環境のもと通信することのできる印刷装置及びロール紙部材を提供することにある。
【課題を解決するための手段】
【０００５】
上述した課題を解決するために、本発明は、芯材の一端側に識別情報を記憶する記憶媒体が設けられたロール紙部材に印刷を行う印刷装置であって、前記ロール紙部材に設けられた記憶媒体と無線通信を行う通信部はループアンテナを備え、前記ループアンテナの形成面は、前記ロール紙部材の長手方向に対して垂直面に、印刷装置のサイドフレームに設けられていることを特徴とする。
この発明によれば、ループアンテナをサイドフレームに設けたので、従来に比べて簡単な設置構造にすることができ、組み立て作業を簡単にすることができる。
また、ロール紙部材に設けられたループアンテナと、通信部の有するループアンテナとの相対的な位置関係はロール紙部材の回転に伴い大きく変動しないため良好な無線通信環境が常に維持される。
なお、長手方向に対して垂直面とはロール紙部材に設けられたアンテナに起電力を発生させ、もってロール紙部材に設けられた記憶媒体と無線通信を行うことができる程度の垂直面であれば足り、厳密に長手方向と垂直な面である必要はない。
【０００６】
また、本発明は、前記通信部は、前記記憶媒体とギガヘルツ帯の周波数帯域で無線通信することを特徴とする。
この発明によれば、ギガヘルツ帯の周波数にて無線通信を行うようにしたので、ギガヘルツ帯の無線通信を行う場合には、ループアンテナの形成面の面積を小さくすることができるので、サイドフレームへ通信部を取り付けしても、収容サイズを小さくすることができる。
【０００７】
また、本発明は、前記通信部は、前記記憶媒体に記憶された、前記ロール紙部材の残量を示す情報を読み出すことを特徴とする。
この発明によれば、使用途中のロール紙部材であっても、残量がどれだけあるかを把握することが可能となる。
【０００８】
また、本発明は、前記通信部は、前記記憶媒体に記憶された前記ロール紙部材の残量を示す情報を印刷開始前に読み出し、前記印刷装置は、印刷要求された印刷ジョブにおいて必要となる用紙量と、前記通信部が読み出した前記ロール紙部材の残量を示す情報と、に基づいて、印刷用紙が足りるか否かを判定することを特徴とする。
この発明によれば、印刷する前に、残量が足りるか否かを判定するようにしたので、印刷を開始したにもかかわらず、残量不足で１つの印刷が途中で終了してしまうことを防止することができ、インクや用紙の無駄を省くことができる。
【０００９】
また、本発明は、前記通信部は、前記記憶媒体に記憶された、前記ロール紙部材の種別を示す情報を読み出し、前記印刷装置は、印刷要求された印刷ジョブにおいて指定された用紙種別と、前記通信部が読み出した前記ロール紙部材の種別を示す情報と、が一致するか否かを判定し、一致する場合には、印刷ジョブに従って印刷を行うことを特徴とする。
この発明によれば、印刷要求された用紙の種類と、現在印刷しようとしているロール紙の用紙の種類が一致する場合に印刷するようにしたので、ユーザは、現在セットされているロール紙の種類が何であるかを把握していなくても、印刷したい種類とは異なるロール紙に印刷してしまうことを防止することができる。
【００１０】
また、本発明のロール紙部材は、通信部を備えた印刷装置に用いられ、識別情報を記憶する記憶媒体と、該記憶媒体が前記通信部と無線通信を行うためのループアンテナと、が一端に設けられたロール紙部材において、前記ループアンテナの形成面は、前記ロール紙部材の長手方向に対して垂直面に設けられていることを特徴とする。
このようにループアンテナをロール紙部材に設けると、どのようなロール紙部材の回転位置であっても印刷装置に設けられた通信部から発せられた電波を良好に受信することができ、ロール紙部材に設けられたループアンテナに充分な起電力を発生させることができ、もって印刷装置との良好な無線通信環境を常に維持することができる。なお、ループアンテナはロール紙部材の芯材に設けることもできる。
なお、印刷装置側に設けられたループアンテナの形成面は、該ロール紙部材に設けられたループアンテナの形成面と並行に設けられたものであることがループアンテナの特性から好適である。また、長手方向に対して垂直面とは、印刷装置に設けられた通信部と、ロール紙部材に設けられた記憶部とが無線通信を行うことができる程度の角度であれば足り厳密な長手方向と垂直な面である必要性はない。
【発明を実施するための最良の形態】
【００１１】
以下、本発明の一実施形態による印刷装置について図面を参照して説明する。
まず、この実施形態において用いられるロール紙部材について説明する。図１は、ロール紙部材１０の外観を表す概略図である。
ロール紙部材１０は、芯材１１と、芯材１１の外周に巻き付けられた印刷用のロール紙１２と、芯材１１に配置されたＩＣメモリモジュール１３とを備えている。ＩＣメモリモジュール１３は、非接触型であり、後述する読み取り部と無線によって情報の送受信を行うためのループアンテナを有する。ＩＣメモリモジュール１３は、ＩＣメモリモジュールを識別する識別情報が記憶されており、読み取り部と通信を行う場合に、この識別情報を送信する機能を有する。また、ＩＣメモリモジュール１３は、識別情報の他に情報の書き込みが可能な書き込み領域が備えられており、後述する書き込み部からの指示に従って、各種情報の書き込みを行う。
さらに、ＩＣメモリモジュール１３は、芯材１１の一端側の側面に取り付けられる、あるいは、当該側面から中心軸方向に沿った芯材１１の内部の近傍に埋め込まれる。
【００１２】
図２は、ロール紙部材を支持する軸受け部近傍の断面図である。
ロール紙部材１０は、アタッチメント１４を介してシャフト１６に固定され、当該シャフト１６が、支持部材１７に回転可能に支持される。アタッチメント１１４と支持部材１７との間には、ストッパ１５が設けられ、このストッパ１５にロール紙部材１１の一端側が当接することによって、ロール紙部材１０が中心軸方向に移動しないようになっている。
支持部材１７の側方（ロール紙部材１０が取り付けられる側とは中心軸方向において反対方向）には、ロール紙部材１０の両側に対をなすように、ロール紙部材１０を収納する給紙装置の外側の筐体であるサイドフレーム１８が設けられている。このサイドフレーム１８の内側（ロール紙部材側）であって、シャフト１６の中心軸上の近傍には、ＩＣメモリモジュール１３の記憶領域と情報の送受信を行うリーダライタ１９が設けられる。
【００１３】
シャフト１６が金属製である場合には、ＩＣメモリモジュール１３とリーダライタ１９との通信が不良とならないように、リーダライタ１９を、シャフト１６の中心軸の延長上から所定の距離だけ離れた位置に取り付けられる。
ここで、シャフト１６が例えば成型樹脂である場合には、金属である場合にくらべて通信の障害にならないので、リーダライタ１９をシャフト１６の中心軸の延長上に配置することも可能である。
【００１４】
また、リーダライタ１９は、そのアンテナとしてループアンテナが適用され、ロール紙部材１０の長手方向において、ＩＣメモリモジュール１３のアンテナと略平行となる向き（例えば、ロール紙部材１０の長手方向に対して垂直方向）に配置される。ここで、ループアンテナ形成面は、ロール紙部材１０の長手方向に対する垂直面と並行になるように、印刷装置１のサイドフレームに取り付けられることが望ましい。
ＩＣメモリモジュール１３のアンテナの向きが、ロール紙部材１０の長手方向に対して平行になっている場合には、リーダライタ１９のループアンテナの形成面がロール紙部材１０の長手方向に対する垂直面に配置するとリーダライタ１９から放射される電波をＩＣメモリモジュール１３のアンテナが受信することができない。この場合は、リーダライタ１９のループアンテナの形成面をロール紙部材１０の長手方向に対する垂直面から傾斜させて配置する。これにより、電波強度が低減してしまうことを抑え、良好な通信環境を維持することができる。
【００１５】
また、ここでは、ロール紙部材１０がシャフト１６を中心に１回転する毎にＩＣメモリモジュール１３が、リーダライタ１９のループアンテナの通信領域内を通過するように配置するようにすることも可能である。例えば、リーダライタ１９の通信領域を、ロール紙部材１０の芯材１１の円周方向の一部であって、ＩＣメモリモジュール１３と通信可能な範囲となるように配置する。そして、印刷が開始され、ロール紙部材１０が回転する毎にＩＣメモリモジュール１３の識別情報を読み取るようにしてもよい。
【００１６】
また、ＩＣメモリモジュール１３の通信周波数の帯域が高周波領域（例えば、ギガヘルツ帯）である場合には、リーダライタ１９のアンテナのループ形状のサイズを小さくすることができるので、サイドフレーム１８の取り付けスペースを小さくすることができ、全体として給紙装置のサイズが大きくなることを防ぐことが可能である。この通信を行う周波数帯域としては、例えば、２．４５ＧＨｚの周波数帯域によって通信を行う。
【００１７】
図３は、印刷装置１の機能構成を説明する概略ブロック図である。
この図において、リーダライタ１９は、ＩＣメモリモジュール１３から読み出した情報を残量算出部２０に出力するとともに、残量算出部２０から出力された情報をＩＣメモリモジュール１３に書き込む機能を有する。
残量算出部２０は、リーダライタ１９から出力される識別情報に基づいて、ロール紙部材１０を識別する機能、ロール紙部材１０のロール紙１２の残量を算出する機能、算出した残量を出力部２１に出力する機能、算出した残量をリーダライタ１９を介してＩＣメモリモジュール１３の書き込み領域に書き込む機能等を有する。
【００１８】
出力部２１は、例えば、印刷装置１に設けられる液晶表示装置に残量を表示させる機能、あるいは、印刷装置１に接続されたコンピュータの表示装置上に残量を表示させる機能を有する。
印刷要求入力部２３は、印刷データと、印刷部数、印刷サイズ等、印刷するために必要となる印刷情報を印刷ジョブとして制御部２３にデータ入力する。
制御部２３は、印刷要求入力部２３から入力される印刷情報に基づいて、印刷装置１内の各部を制御することにより、ロール紙１２に印刷を行う。駆動部２４は、制御部２３から出力される制御信号に基づいて、印刷装置１内の各種モータを駆動する。
【００１９】
図４は、本実施形態における印刷装置１の内部構成を示す概略図である。
この図に示すように、印刷装置本体１００において、キャリッジ４０に搭載された印字ヘッドを駆動してインクの吐出およびドット形成を行う機構と、このキャリッジ４０をキャリッジモータ４１によってプラテン４２の軸方向に往復動させる機構と、紙送りモータ４３によってロール紙部材１０から供給される印刷用のロール紙１２を搬送する機構と、制御回路５０とから構成されている。
【００２０】
キャリッジ４０をプラテン４２の軸方向に往復動させる機構は、プラテン４２の軸と並行に架設されたキャリッジ４０を摺動可能に保持する摺動軸４４と、キャリッジモータ４１との間に無端の駆動ベルト４５を張設するプーリ４６等から構成されている。
【００２１】
ロール紙部材１０から供給される印刷用のロール紙１２を搬送する機構は、プラテン４２と、プラテン４２を回転させる紙送りモータ４３と、図示しない給紙補助ローラと、紙送りモータ４３の回転をプラテン４２、プラテン４２の回転角度を検出するエンコーダ４７および給紙補助ローラに伝えるギヤ機構４８とから構成されている。サイドフレーム１８の一端側には、リーダライタ１９のアンテナが設けられており、このアンテナの出力端が、サイドフレーム１８の基部に配置されている接点１０１を介して、プリンタ本体側１０に接続される。
【００２２】
制御回路５０は、プリンタの操作パネル１１０と信号をやり取りしつつ、紙送りモータ４３やキャリッジモータ４１、印字ヘッドの動きを制御する。印刷装置１のロール紙部材ホルダ２６、２７に保持されたロール紙部材１０の印刷用のロール紙１２は、プラテン４２と給紙補助ローラの間に挟み込まれるようにセットされ、プラテン４２の回転角度に応じて所定量だけ送られる。
【００２３】
キャリッジ４０には、インクカートリッジＩＮＣ１とインクカートリッジＩＮＣ２とが装着される。各インクカートリッジＩＮＣ１、ＩＮＣ２には、インク残量等を記憶する記憶素子が備えられている。インクカートリッジＩＮＣ１には黒（Ｋ）インクが収容され、インクカートリッジＩＮＣ２には他のインク、すなわち、例えば、シアン（Ｃ），マゼンタ（Ｍ），イエロ（Ｙ）の３色インクが収納される。また、ライトシアン（ＬＣ），ライトマゼンタ（ＬＭ），ダークイエロ（ＤＹ）のインクも収納可能であってもよい。
【００２４】
次に、上述の構成における印刷装置１の動作について説明する。図５は、印刷装置１の動作を説明するフローチャートである。
まず、印刷装置１にロール紙部材１０がセットされ、電源が投入されると、リーダライタ１９は、印刷装置１にセットされたロール紙部材１０に設けられたＩＣメモリモジュール１３に記憶された識別情報と残量記憶領域から残量の情報とを読み出す（ステップＳ１０）。
残量算出部２０は、リーダライタ１９が読み出した識別情報と、残量の情報とを取り込み、この識別情報に基づいて、セットされたロール紙部材１０の用紙サイズ（幅、長さ）、用紙の厚さ、用紙の種類等のロール紙情報を認識するとともに、読み出した残量の情報を内部メモリに記憶する。ここで、ロール紙情報を認識する処理としては、例えば、ＩＣメモリモジュール１３の記憶領域にロール紙情報を予め記憶しておき、識別情報を読み出す際にロール紙情報を読み出して取り込むようにしてもよい。また、識別情報とロール紙情報とを対応付けて残量算出部２０の内部のメモリ領域内に予め記憶しておき、リーダライタ１９が読み出した識別情報をキーにして、この内部メモリからロール紙情報を読み出すようにしてもよい。
【００２５】
一方、印刷要求入力部２３から印刷情報が入力されると、制御部２３は、印刷処理を開始する（ステップＳ１１）。ここでは、印刷データに基づいて、印刷データの長さ方向の印刷サイズと、残量算出部２０の内部メモリに記憶された残量の情報とを参照し、印刷データのサイズを残りのロール紙１２で印刷できるか否かを判定する（ステップＳ１２）。残りのロール紙１２で印刷できない場合、すなわち、残量が足りない場合は、出力部２１によって、警報を表示する（ステップＳ１３）。
一方、残りのロール紙１２で印刷できると判定された場合、制御部２３は、印刷サイズ、印刷方向、印刷枚数、等に従って印刷を行うとともに、この印刷処理を行う際、長さ方向の印刷サイズについて残量算出部２０に出力する。
【００２６】
残量算出部２０は、制御部２３から出力された印刷サイズに基づいて、残量を算出する（ステップＳ１４）。例えば、印刷対象の印刷データの長さ方向のサイズの情報が制御部２３から出力されると、残量算出部２０は、内部メモリに記憶された残量が示す長さの値から、現在印刷をしている印刷データの情報が示す長さの値の差を算出することによって、残量を算出する。例えば、用紙のサイズの長さが１００であり、現在印刷した印刷データの長さが２であった場合には、残量を９８として算出する。
【００２７】
残量算出部２０は、残量を算出すると、出力部２１によって、残量を液晶表示装置に表示する。そして、残量算出部２０は、算出した残量を書き込み命令とともにリーダライタ１９に出力する。リーダライタ１９は、残量算出部２０からの書き込み命令に従い、残量の情報をＩＣメモリモジュール１３の残量記憶領域内に書き込む（ステップＳ１５）。
制御部２３は、１枚分の印刷が終了すると、残りの印刷があるか否かを判定し（ステップＳ１６）、命令された印刷を全て終了した場合には、印刷処理を終了し、残りの印刷があれば、ステップＳ１１に移行し、印刷処理を行う。
【００２８】
印刷処理が完了したのち、印刷装置１にセットされていたロール紙部材１０が取り外され、他の印刷装置１にセットされた場合には、ＩＣメモリモジュール１３に残量が書き込まれているため、その新たにセットされた印刷装置１においても、ロール紙部材１０の残量を読み出すことにより、残量を把握することができる。したがって、途中まで利用したロール紙部材１０を、印刷装置１にセットしても、残量がどれだけあるかを把握することが可能となる。
【００２９】
また、以上説明した実施形態によれば、ＩＣメモリモジュール１３に各種情報を記憶するようにしたが、上述した情報の他に、ＩＣメモリモジュール１３が設けられたロール紙１２の製造年月日、シリアル番号を記憶しておくようにしてもよい。
【００３０】
また、上述した実施形態においては、印刷装置１にロール紙部材１０がセットされた際、残量を認識し、印刷要求された印刷データを印刷できるか（残量が足りるか）を判定する場合について説明したが、ＩＣメモリモジュール１３に記憶された各種情報と、印刷要求に含まれる印刷内容に適合するか否かを判定するようにしてもよい。例えば、セットされたロール紙部材１０の用紙の種別と、印刷要求に含まれる用紙種別と一致するか否かを判定し、一致する場合に印刷を行い、一致しない場合はアラームをすることができる。
【００３１】
また、上述した実施形態においては、印刷要求に含まれる印刷データのサイズと、印刷実績に基づいて、残量を算出する場合について説明したが、他の方法によって残量を出するようにしてもよい。例えば、ロール紙部材１０がシャフト１６を中心に１回転する毎にＩＣメモリモジュール１３が、リーダライタ１９の通信領域内を通過するように配置する。例えば、リーダライタ１９の通信領域を、ロール紙部材１０の芯材１１の円周方向の一部であって、ＩＣメモリモジュール１３と通信可能な範囲となるように配置する。そして、印刷が開始され、ロール紙部材１０が回転する毎にＩＣメモリモジュール１３の識別情報を読み取って、読み取った回数をカウントアップし、このカウント数から残量を計算するようにしてもよい。また、印刷可能量に応じたカウント数をＩＣメモリモジュール１３に書き込んでおき、印刷時にＩＣメモリモジュール１３を検出する毎に、リーダライタ１９が、ＩＣメモリモジュール１３に記憶されたカウント数をカウントダウンするように更新する。
【００３２】
図６は、上述した印刷装置１の他の構成例を示す概略ブロック図である。この図において、印刷装置１は、ＣＰＵ（中央処理装置）３１と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、他の記憶装置から構成される記憶部３２と、印刷装置１に設けられたスイッチ等である入力部３３と、印刷装置１に設けられた液晶表示装置やアラーム等の音声を出力する出力部３４と、通信インターフェース３５とが、バス３６を介して接続される。
ここでは、ＣＰＵ３１が、制御部２３、残量算出部２０に対応し、記憶部３２が、残量算出部２０の内部メモリに対応し、入力部３３が印刷要求入力部２２に対応し、出力部３４が出力部２１に対応し、通信インターフェース３５がリーダライタ１９に対応する。
【００３３】
また、図１におけるリーダライタ１９、残量算出部２０、出力部２１、印刷指示入力部２２、制御部２３の機能を実現するためのプログラムをコンピュータ読み取り可能な記憶媒体に記憶して、この記憶媒体に記憶されたプログラムをコンピュータシステムに読み込ませ、実行することにより残量管理を行ってもよい。なお、ここでいう「コンピュータシステム」とは、ＯＳや周辺機器等のハードウェアを含むものとする。
【００３４】
また、「コンピュータシステム」は、ＷＷＷシステムを利用している場合であれば、ホームページ提供環境（あるいは表示環境）も含むものとする。
また、「コンピュータ読み取り可能な記憶媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記憶媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記憶されているプログラムとの組み合わせで実現できるものであってもよい。
【００３５】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３６】
【図１】ロール紙部材１０の外観を表す概略図である。
【図２】ロール紙部材を支持する軸受け部近傍の断面図である。
【図３】印刷装置１の機能構成を説明する概略ブロック図である。
【図４】本実施形態における印刷装置１の内部構成を示す概略図である。
【図５】印刷装置１の動作を説明するフローチャートである。
【図６】上述した印刷装置１の他の構成例を示す概略ブロック図である。
【符号の説明】
【００３７】
１  印刷装置
１０  ロール紙部材
１２  ロール紙
１３  ＩＣメモリモジュール
１９  リーダライタ
２０  残量算出部
２１  出力部
２２  印刷要求入力部
２３  制御部
２４  駆動部
【図１】
2009262365.tif 000003
【図２】
2009262365.tif 000004
【図３】
2009262365.tif 000005
【図４】
2009262365.tif 000006
【図５】
2009262365.tif 000007
【図６】
2009262365.tif 000008